(57)【要約】【課題】導光板に対する点状光源の位置合わせを正確に行なうことのできる照明装置、および該照明装置を備えた電気光学装置を提供すること。【解決手段】照明装置８および電気光学装置１００では、フレキシブル基板７において点状光源３が実装された光源実装部７１に、線状パターン７７２ａ、７７２ｂ、７７３ａ、７７３ｂを備えた基板側アライメントマーク７７ａ、７７ｂが形成され、導光板６の端部には、線状パターン６７２ａ、６７２ｂ、６７３ａ、６７３ｂを備えた導光板側アライメントマーク６７ａ、６７ｂが形成されている。このため、フレキシブル基板７と導光板６とを直接、位置合わせすることができるので、フレキシブル基板７上の点状光源３と、導光板６の光入射部６１ａとを高い精度で位置を合わせることができる。【選択図】図１
2010009813.tif 000002
【特許請求の範囲】
【請求項１】
点状光源と、
該点状光源が実装された光源実装端子を備えた光源実装基板と、
前記点状光源からの光が入射する光入射部を備えた導光板と、を有する照明装置であって、
前記光源実装基板には、線状パターンを含む基板側アライメントマークが形成され、
前記導光板には、線状パターンを含む導光板側アライメントマークが形成され、
前記光源実装基板と前記導光板とは、前記基板側アライメントマークの線状パターンと前記基板側アライメントマークの線状パターンとによって位置合わせされていることを特徴とする照明装置。
【請求項２】
前記導光板側アライメントマークは、前記導光板に形成した切り欠きにより残された残存部分、あるいは前記導光板に形成された切り欠きからなることを特徴とする請求項１に記載の照明装置。
【請求項３】
前記基板側アライメントマークは、前記光源実装基板に形成された端子および配線と同一層の導電パターンからなることを特徴とする請求項１または２に記載の照明装置。
【請求項４】
前記基板側アライメントマークは、前記光源実装端子と同一層の導電パターンからなることを特徴とする請求項３に記載の照明装置。
【請求項５】
前記光源実装基板は、フレキシブル基板であることを特徴とする請求項１乃至４の何れか一項に記載の照明装置。
【請求項６】
前記光源実装基板を前記点状光源が実装されている側とは反対側からみたとき、少なくとも前記光源が実装された領域と平面視で重なる領域には、絶縁層を介して背面側導電パターンが形成され、
前記基板側アライメントマークは、平面視で当該背面側導電パターンを避けた領域に形成されていることを特徴とする請求項１乃至５の何れか一項に記載の照明装置。
【請求項７】
前記導光板と前記光源実装基板との間には遮光シートが挿入されており、
当該遮光シートには、前記導光板側アライメントマークを視認可能とする透光窓が形成されていることを特徴とする請求項１乃至６の何れか一項に記載の照明装置。
【請求項８】
前記導光板と前記光源実装基板とは、前記導光板側アライメントマークと前記基板側アライメントマークとによって、少なくとも前記点状光源からの出射光軸方向における位置が合わされていることを特徴とする請求項１乃至７の何れか一項に記載の照明装置。
【請求項９】
請求項１乃至８の何れか一項に記載の照明装置を備えた電気光学装置であって、
前記導光板の両面のうち、前記点状光源から出射された光が出射される側の面には、当該導光板からの出射光を変調する電気光学パネルが配置されていることを特徴とする電気光学装置。
【発明の詳細な説明】
【技術分野】
【０００１】
本発明は、点状光源が実装された光源実装基板および導光板を備えた照明装置、および該照明装置を備えた電気光学装置に関するものである。
【背景技術】
【０００２】
各種の電気光学装置のうち、透過型あるいは半透過反射型の液晶装置は、光源と、この光源からの光が入射する導光板とを備えた照明装置を備えており、光源から出射された光は、導光板に入射した後、導光板内を伝播し、液晶パネルが配置されている側の面から出射される。かかる照明装置において、近年、光源としてＬＥＤなどの点状光源が用いられ、点状光源は光源実装基板上に実装された状態で導光板に位置合わせされる（特許文献１参照）。
【特許文献１】特開２００４−６１９３号公報
【発明の開示】
【発明が解決しようとする課題】
【０００３】
点状光源を用いた発光装置では、点状光源からは光が発散光として出射されるため、導光板からの出射光の光量分布を均一にするには、点状光源の出射光軸方向などにおいて点状光源と導光板との位置を正確に合わせる必要がある。
【０００４】
しかしながら、従来は、かかる位置合わせを適正に行なう方法が提案されていない。ここに本願発明者は、導光板および光源実装基板において互いに重なる位置に穴を形成しておき、かかる穴に位置決め用冶具であるピンを挿入して導光板と光源実装基板との位置合わせを行なうことを提案する。しかしながら、ピンを介して間接的に位置合わせを行なう方法では、ピンの径と穴の径との差や、穴の径のばらつきなどによって、導光板と光源実装基板との位置合わせを正確に行なえず、その結果、点状光源と導光板との位置を正確に合わせることができないという問題点がある。すなわち、ピンと導光板の穴の公差、ピンと光源実装基板の穴の公差の２つのばらつきに起因して、導光板と光源実装基板との位置合わせにもばらつきが生じてしまう。
【０００５】
以上の問題点に鑑みて、本発明の課題は、導光板に対する点状光源の位置合わせを正確に行なうことのできる照明装置、および該照明装置を備えた電気光学装置を提供することにある。
【課題を解決するための手段】
【０００６】
上記課題を解決するために、本発明では、点状光源と、該点状光源が実装された光源実装端子を備えた光源実装基板と、前記点状光源からの光が入射する光入射部を備えた導光板と、を有する照明装置であって、前記光源実装基板には、線状パターンを含む基板側アライメントマークが形成され、前記導光板には、線状パターンを含む導光板側アライメントマークが形成され、前記光源実装基板と前記導光板とは、前記基板側アライメントマークの線状パターンと前記基板側アライメントマークの線状パターンとによって位置合わせされていることを特徴とする。
【０００７】
本発明では、点状光源が実装された光源実装基板、および導光板の各々に基板側アライメントマークおよび導光板側アライメントマークが形成されているため、光源実装基板と導光板とを直接、位置合わせすることができる。従って、本発明によれば、導光板および光源実装基板の各々に穴を形成しておき、かかる穴に位置決めピンを挿入して導光板と光源実装基板との位置合わせを行なう構成と比較して、導光板と光源実装基板との位置合わせ精度が高い。従って、光源実装基板上の点状光源と、導光板の光入射部とを高い精度で位置を合わせることができる。それ故、発散光を出射する点状光源を用いた場合でも、導光板からの出射光の光量分布を均一にすることができるなど、照明装置の照明特性を向上することができる。
【０００８】
本発明において、前記導光板側アライメントマークは、前記導光板に形成した切り欠きにより残された残存部分、あるいは前記導光板に形成された切り欠きからなることが好ましい。このように構成すると、導光板を所定形状に切断するなどの加工の際に導光板側アライメントマークを構成するための切り欠きを形成することができる。従って、導光板の光入射部と導光板側アライメントマークとの位置精度が高いので、かかる導光板側アライメントマークを基準に光源実装基板を位置合わせすれば、光源実装基板上の点状光源と、導光板の光入射部とを高い精度で位置を合わせることができる。また、導光板側アライメントマークを形成するのに新たな工程を追加する必要がないので、導光板側アライメントマークを備えた導光板を効率よく製造することができる。
【０００９】
本発明において、前記基板側アライメントマークは、前記光源実装基板に形成された端子および配線と同一層の導電パターンからなることが好ましい。このように構成すると、光源実装基板を製造する工程の中で基板側アライメントマークを形成することができる。従って、光源実装基板上に実装した点状光源と基板側アライメントマークとの位置精度が高いので、かかる基板側アライメントマークを基準に導光板に位置合わせすれば、光源実装基板上の点状光源と、導光板の光入射部とを高い精度で位置を合わせることができる。また、基板側アライメントマークを形成するのに新たな工程を追加する必要がないので、基板側アライメントマークを備えた光源実装基板を効率よく製造することができる。
【００１０】
この場合、前記基板側アライメントマークは、前記光源実装端子と同一層の導電パターンからなることが好ましい。このように構成すると、光源実装基板上に実装した点状光源と基板側アライメントマークとの位置精度をさらに高めることができるので、かかる基板側アライメントマークを基準に導光板に位置合わせすれば、光源実装基板上の点状光源と、導光板の光入射部とを高い精度で位置を合わせることができる。
【００１１】
本発明は、前記光源実装基板がフレキシブル基板である場合に適用すると効果的である。フレキシブル基板の場合、その変形性に起因して、外形部分で位置合わせを行なうことが困難であるが、本発明によれば、光源実装基板がフレキシブル基板であっても、光源実装基板上の点状光源と、導光板の光入射部とを高い精度で位置を合わせることができる。
【００１２】
本発明において、前記光源実装基板を前記点状光源が実装されている側とは反対側からみたとき、少なくとも前記光源が実装された領域と平面視で重なる領域には、絶縁層を介して背面側導電パターンが形成され、前記基板側アライメントマークは、平面視で当該背面側導電パターンを避けた領域に形成されていることが好ましい。このように構成すると、遮光用、電磁シールド用、あるいは放熱用に背面側導電パターンを設けた場合でも、基板側アライメントマークを確実に視認することができる。
【００１３】
本発明において、前記導光板と前記光源実装基板との間には遮光シートが挿入されている場合があり、この場合、当該遮光シートには、前記導光板側アライメントマークを視認可能とする透光窓が形成されていることが好ましい。このように構成すると、導光板と光源実装基板との間に遮光シートが挿入されている場合でも、導光板側アライメントマークを確実に視認することができる。
【００１４】
本発明において、前記導光板と前記光源実装基板とは、前記導光板側アライメントマークと前記基板側アライメントマークとによって、少なくとも前記点状光源からの出射光軸方向における位置が合わされている構成を採用してもよい。点状光源からは光が発散光として出射されるため、少なくとも点状光源の出射光軸方向における位置を正確に合わせれば、導光板からの出射光の光量分布を均一化することができる。
【００１５】
本発明を適用した照明装置は、液晶装置などの電気光学装置に用いる場合、前記導光板の両面のうち、前記点状光源から出射された光が出射される側の面には、当該導光板からの出射光を変調する電気光学パネルが配置される。かかる電気光学装置は、モバイルコンピュータ、携帯電話、カーナビゲーション、パーソナルコンピュータなどの電子機器に用いられる。
【発明を実施するための最良の形態】
【００１６】
図面を参照して、本発明の実施の形態を説明する。なお、以下の説明で参照する図においては、各層や各部材を図面上で認識可能な程度の大きさとするため、各層や各部材毎に縮尺を異ならしめてある。
【００１７】
［電気光学装置の構成］
図１は、本発明を適用した電気光学装置の分解斜視図である。図２（ａ）、（ｂ）は各々、本発明を適用した電気光学装置を、点状光源を通る線に沿って切断したときの縦断面図、およびその点状光源付近を拡大して示す拡大断面図である。
【００１８】
図１および図２（ａ）に示すように、本形態の電気光学装置１００（液晶装置）は、透過型あるいは半透過反射型の液晶パネル１と、この液晶パネル１の背面側に配置された照明装置８とを有しており、照明装置８および液晶パネル１は、矩形枠状のケース９の内部に重ねて配置されている。
【００１９】
液晶パネル１は、対向基板としての第１基板１１と、第１基板１１の端部より突出する張り出し領域１９を有する素子基板としての第２基板１２と、第１基板１１と第２基板１２とを貼り合わせるための基板周縁部に設けられたシール材１３と、第１基板１１及び第２基板１２とシール材１３とにより形成された空間内に保持された電気光学物質としての液晶１４とを有しており、液晶パネル１の両側には第１偏光板１５ａおよび第２偏光板１５ｂが配置されている。第１基板１１において第２基板１２と対向する面上には、ＩＴＯ（Indium Tin Oxide）膜からなる共通電極１６が形成され、かかる共通電極１６を覆うようにポリイミドなどからなる配向膜（図示せず）が形成されている。また、第１基板１１において、第２基板１２と対向する面上にカラーフィルタなどが形成されることもある。第２基板１２において第１基板１１対向する面上には島状の画素電極１７や、画素スイッチング素子、走査線、データ線（図示せず）など形成され、画素電極１７を覆うようにポリイミドなどからなる配向膜（図示せず）が形成されている。共通電極１６も第２基板１２に形成されることもある。このように構成した電気光学装置１００では、照明装置８から出射された光が第２基板１２の側から入射し、かかる入射光を光変調して第１基板１１の側から出射して画像を表示する。なお、第１基板１１が照明装置８の側に配置され、第２基板１２が表示光の出射側に配置されることもある。
【００２０】
図１および図２（ｂ）に示すように、張り出し領域１９には、駆動用ＩＣ１８が異方性導電フィルムなどにより実装されており、張り出し領域１９の端部に形成された端子１９０には、フレキシブル基板７の本体部分７８に形成された端子７４１が接続されている。このため、外部から供給される各種信号や電源を、フレキシブル基板７を介して液晶パネル１に入力することができる。
【００２１】
フレキシブル基板７では、その本体部分７８から帯状部分７２が延びており、かかる帯状部分７２の先端部には、長手方向を液晶パネル１の幅方向に向けた光源実装部７１が形成されている。かかる光源実装部７１には、光源実装端子７５１が形成されており、光源実装端子７５１には、以下に説明する照明装置８の点状光源３が実装されている。従って、点状光源３には、フレキシブル基板７を介して光源駆動用電圧が供給される。
【００２２】
フレキシブル基板７は多層基板あるいは両面基板であり、光源実装部７１を点状光源３が実装されている側とは反対側からみたとき、光源実装端子７５１と平面視で重なる領域には、光源実装端子７５１との間にポリイミド層などの絶縁層７０が介在するベタパターンの背面側導電パターン７４２が形成されている。かかる背面側導電パターン７４２はベタパターンであり、所定領域にわたって隙間なく一面に形成されている。このため、背面側導電パターン７４２は、点状光源３に対する遮光用、電磁シールド用、あるいは放熱用に利用される。本形態において、背面側導電パターン７４２および端子７４１は絶縁層７０の一方面側に形成され、光源実装端子７５１は絶縁層７０の他方面側に形成されている。
【００２３】
本形態において、点状光源３は表面実装型の白色ＬＥＤであり、フレキシブル基板７の光源実装部７１の面に対して平行な方向に出射光軸Ｌを向けて所定の間隔で複数、実装されている。
【００２４】
（照明装置８の全体構成）
照明装置８は、液晶パネル１の第２基板１２に光放出面である第１面６ａを向ける略矩形の導光板６と、導光板６の端部６ｅに沿うように配置された白色ＬＥＤからなる複数の点状光源３と、導光板６において第１面６ａとは反対側の第２面６ｂに重ねて配置された反射シート２７と、導光板６の第１面６ａに重ねて配置された複数枚の光学シートとを有している。本形態では、かかる複数枚の光学シートとして、導光板６の側から液晶パネル１に向かって、矩形状の拡散板２３、矩形状のプリズムシート２４、矩形状のプリズムシート２５、矩形状の拡散板２６が順に重ねて配置されている。導光板６は、点状光源３から出射された光を液晶パネル１の面内に均一に照射するためのものであり、アクリル樹脂やポリカーボネートなどの透光性材料からなる。拡散板２３、２６は、表示画面内の光の輝度をより均一化させるためのものである。プリズムシート２４、２５は、出射光の配向角を調整し、正面の輝度を向上させるためのものである。なお、ケース９の底側で内側に張り出す突起９１の上には、両面に粘着剤層が形成された枠状の遮光シート２８が配置され、かかる遮光シート２８の上に導光板６が接着固定される。これに対して、反射シート２７はケース９の下面側において遮光シート２８によってケース９および導光板６の縁部分に接着固定されている。
【００２５】
導光板６の端部６ｅには、その辺に沿って所定の間隔に切り欠き状の光源配置穴６１が形成されており、その内壁の１つが、点状光源３から出射された光が入射する光入射部６１ａになっている。従って、フレキシブル基板７において、光源実装部７１の点状光源３が実装されている側の面が下向きとなるように帯状部分７２を折り曲げて、導光板６の端部６ｅにおいて第１面６ａの側に光源実装部７１を重ねると、複数の点状光源３は各々、光出射面３ａを光入射部６１ａに向けて光源配置穴６１に配置される。その際、導光板６の端部６ｅに沿って、下面に粘着剤層が形成された遮光シート２９が貼られ、遮光シート２９の上面には両面テープ２１が配置される。このため、フレキシブル基板７の光源実装部７１は、両面テープ２１および遮光シート２９を介して導光板６の端部６ｅに固定される。
【００２６】
ここで、遮光シート２９には、導光板６の光源配置穴６１と平面視で重なる位置に矩形の開口部２９１が形成されている。また、遮光シート２９には、以下に説明する導光板側アライメントマーク６７ａ、６７ｂと平面視で重なる位置に円形の開口部２９２ａ、２９２ｂが透光窓として形成されている。
【００２７】
（導光板６と点状光源３とのアライメント構造）
図３（ａ）、（ｂ）、（ｃ）、（ｄ）は各々、本発明を適用した電気光学装置に用いた導光板の端部の拡大平面図、フレキシブル基板の光源実装部の拡大平面図、導光板の端部にフレキシブル基板を重ねる直前の導光板の端部の様子を示す拡大平面図、および導光板の端部にフレキシブル基板を重ねた後の導光板の端部の様子を示す拡大平面図である。なお、図３（ｂ）、（ｄ）において点状光源はフレキシブル基板の下面に実装されているが、実線で示してある。
【００２８】
本形態の照明装置８において、点状光源３として用いた白色ＬＥＤは、発散光を出射するため、第１面６ａから光量分布が一定の光を出射するには、光源配置穴６１の内部において、点状光源３の光出射面３ａと光入射部６１ａとを高い精度で対向させる必要がある。そこで、本形態では、以下に説明するアライメント構造が採用されている。
【００２９】
まず、図３（ｂ）に示すように、フレキシブル基板７の光源実装部７１において、点状光源３が実装されている領域の両側には、光源実装部７１と導光板６とを位置合わせするための基板側アライメントマーク７７ａ、７７ｂが形成されている。かかる基板側アライメントマーク７７ａ、７７ｂとして、本形態では、光源実装部７１の両側に穴７７１ａ、７７１ｂが形成され、穴７７１ａ、７７１ｂの周りには、第１線状パターン７７２ａ、７７２ｂと、第２線状パターン７７３ａ、７７３ｂとが直交するように形成されている。かかる第１線状パターン７７２ａ、７７２ｂ、および第２線状パターン７７３ａ、７７３ｂのうち、第１線状パターン７７２ａ、７７２ｂは、点状光源３の出射光軸Ｌに直交する方向に延びており、第２線状パターン７７３ａ、７７３ｂは、点状光源３の出射光軸Ｌと平行に延びている。本形態において、第１線状パターン７７２ａ、７７２ｂ、および第２線状パターン７７３ａ、７７３ｂはいずれも、フレキシブル基板７に形成されている端子や配線パターンと同時形成された同一層の導電パターンからなり、本形態において、第１線状パターン７７２ａ、７７２ｂ、および第２線状パターン７７３ａ、７７３ｂは、光源実装端子７５１と同時形成された同一層の導電パターンからなる。ここで、穴７７１ａ、７７１ｂのうち、一方の穴７７１ａは真円であり、他方の穴７７１ｂは長穴である。本形態では、真円と長穴としているが、これに限るものではなく、正方形と長方形などでもよい。また、真円と長穴のように一方と他方の形状を違えておけば、組み立て時にフレキシブル基板７の左右の間違い、あるいは導光板６の表裏の間違い等を容易に発見することができる。従って、位置あわせが可能な線状パターンを含む形状であれば本形態の真円と長穴に限るものではなく、一方と他方の形状が異なる形状であればよい。
【００３０】
なお、フレキシブル基板７の光源実装部７１には、光源実装端子７５１と平面視で重なる領域にはベタの背面側導電パターン７４２が形成されているが、かかる背面側導電パターン７４２の両端部は、基板側アライメントマーク７７ａ、７７ｂの形成領域を避けるように、Ｕ字状に凹んでいる。このため、光源実装部７１を点状光源３が実装されている側とは反対側からみたとき、光源実装端子７５１はベタの背面側導電パターン７４２に遮られて視認できないが、基板側アライメントマーク７７ａ、７７ｂについては視認可能である。それ故、遮光用、電磁シールド用、あるいは放熱用に背面側導電パターン７４２を設けた場合でも、基板側アライメントマーク７７ａ、７７ｂを確実に視認することができる。
【００３１】
また、図３（ａ）に示すように、導光板６の端部６ｅにおいて、光源配置穴６１が形成されている領域の両側には、基板側アライメントマーク７７ａ、７７ｂの各々と位置合わせされる導光板側アライメントマーク６７ａ、６７ｂが形成されている。かかる導光板側アライメントマーク６７ａ、６７ｂとして、本形態では、導光板６に第１線状パターン６７２ａ、６７２ｂと、第２線状パターン６７３ａ、６７３ｂとが直交するように形成されている。かかる第１線状パターン６７２ａ、６７２ｂ、および第２線状パターン６７３ａ、６７３ｂのうち、第１線状パターン６７２ａ、６７２ｂは、点状光源３の出射光軸Ｌに直交する方向に延びており、第２線状パターン６７３ａ、６７３ｂは、点状光源３の出射光軸Ｌと平行に延びている。本形態において、第１線状パターン６７２ａ、６７２ｂ、および第２線状パターン６７３ａ、６７３ｂはいずれも、導光板６に光源配置穴６１を形成する際、切り欠き６７４ａ、６７４ｂを同時形成することにより形成された部分であり、第１線状パターン６７２ａ、６７２ｂ、および第２線状パターン６７３ａ、６７３ｂはいずれも、切り欠き６７４ａ、６７４ｂの残存部分である。なお、切り欠き６７４ａにより形成された円形パターンは真円であり、切り欠き６７４ｂにより形成された円形パターンは長穴である。切り欠きによって形成された形状が真円或いは長穴に限らないことは基板側アライメントマークと同様である。
【００３２】
このような基板側アライメントマーク７７ａ、７７ｂおよび導光板側アライメントマーク６７ａ、６７ｂを利用しながら光源配置穴６１に点状光源３を配置するには、まず、図３（ｃ）に示すように、ケース９の内側に導光板６や、光学シート（拡散板２３、２６、プリズムシート２４、２５）を積層した後、導光板６の端部６ｅを覆うように遮光シート２９を重ねる。ここで、遮光シート２９には、光源配置穴６１と平面視で重なる位置に矩形の開口部２９１が形成され、導光板側アライメントマーク６７ａ、６７ｂと平面視で重なる位置に円形の開口部２９２ａ、２９２ｂが形成されている。従って、導光板６の端部６ｅを覆うように遮光シート２９を重ねた後も、光源配置穴６１が開口している状態を維持できるとともに、開口部２９２ａ、２９２ｂから導光板側アライメントマーク６７ａ、６７ｂを視認することが可能である。
【００３３】
次に、遮光シート２９の上に両面テープ２１（図３（ｃ）において右下がりの点線を付した領域）を貼る。次に、フレキシブル基板７において、光源実装部７１の点状光源３が実装されている側の面が下向きとなるように帯状部分７２を折り曲げて、導光板６の端部６ｅにおいて第１面６ａに光源実装部７１を重ねる。その際、基板側アライメントマーク７７ａ、７７ｂと導光板側アライメントマーク６７ａ、６７ｂとを合わせる。より具体的には、導光板側アライメントマーク６７ａ、６７ｂの第１線状パターン６７２ａ、６７２ｂと、基板側アライメントマーク７７ａ、７７ｂの第１線状パターン７７２ａ、７７２ｂとが同一線上に並ぶように光源実装部７１の位置を調整するとともに、導光板側アライメントマーク６７ａ、６７ｂの第２線状パターン６７３ａ、６７３ｂと、基板側アライメントマーク７７ａ、７７ｂの第２線状パターン７７３ａ、７７３ｂとが同一線上に並ぶように光源実装部７１の位置を調整する。そして、基板側アライメントマーク７７ａ、７７ｂと導光板側アライメントマーク６７ａ、６７ｂとが合ったときに、光源実装部７１を両面テープ２１に押し付け、光源実装部７１を両面テープ２１および遮光シート２９を介して導光板６の端部６ｅに固定する。
【００３４】
その結果、照明装置８が完成するので、その上に、両面に第１偏光板１５ａおよび第２偏光板１５ｂを貼った液晶パネル１を重ねれば電気光学装置１００の組み立てが完了する。
【００３５】
（本形態の主な効果）
以上説明したように、本形態の照明装置８および電気光学装置１００では、フレキシブル基板７において点状光源３が実装された光源実装部７１、および導光板６の端部６ｅの各々に、線状パターン７７２ａ、７７２ｂ、７７３ａ、７７３ｂを備えた基板側アライメントマーク７７ａ、７７ｂ、および線状パターン６７２ａ、６７２ｂ、６７３ａ、６７３ｂを備えた導光板側アライメントマーク６７ａ、６７ｂが形成されているため、フレキシブル基板７と導光板６とを直接、位置合わせすることができる。従って、導光板６およびフレキシブル基板７の各々に穴を形成しておき、かかる穴に位置決めピンを挿入して導光板６とフレキシブル基板７との位置合わせを行なう構成と比較して、導光板６とフレキシブル基板７との位置合わせ精度が高い。従って、フレキシブル基板７上の点状光源３と、導光板６の光入射部６１ａとを高い精度で位置を合わせることができる。それ故、発散光を出射する点状光源３を用いた場合でも、導光板６からの出射光の光量分布を均一にすることができるなど、照明装置８の照明特性を向上することができる。
【００３６】
また、フレキシブル基板７の場合、その変形性に起因して、外形部分で位置合わせを行なうことが困難であるが、本形態によれば、フレキシブル基板７と導光板６との重なり部分に設けた基板側アライメントマーク７７ａ、７７ｂ、および導光板側アライメントマーク６７ａ、６７ｂを利用して位置合わせを行なうので、フレキシブル基板７上に実装された点状光源３と、導光板６の光入射部６１ａとを高い精度で位置を合わせることができる。
【００３７】
また、本形態では、導光板側アライメントマーク６７ａ、６７ｂは、導光板６に形成した切り欠き６７４ａ、６７４ｂにより残された残存部分からなる第１線状パターン６７２ａ、６７２ｂと、第２線状パターン６７３ａ、６７３ｂとにより構成されているため、導光板６を所定形状に切断して光源配置穴６１を形成するなどの加工の際に導光板側アライメントマーク６７ａ、６７ｂを構成するための切り欠き６７４ａ、６７４ｂを同時形成することができる。従って、導光板６の光入射部６１ａと導光板側アライメントマーク６７ａ、６７ｂとの位置精度が高いので、かかる導光板側アライメントマーク６７ａ、６７ｂを基準にフレキシブル基板７の位置合わせを行なえば、フレキシブル基板７の点状光源３と、導光板６の光入射部６１ａとを高い精度で位置を合わせることができる。また、導光板側アライメントマーク６７ａ、６７ｂを形成するのに新たな工程を追加する必要がないので、導光板側アライメントマーク６７ａ、６７ｂを備えた導光板６を効率よく製造することができる。
【００３８】
また、基板側アライメントマーク７７ａ、７７ｂは、フレキシブル基板７に形成された端子および配線と同一層の導電パターンからなり、特に本形態では、基板側アライメントマーク７７ａ、７７ｂが光源実装端子７５１と同一層の導電パターンからなる。このため、フレキシブル基板７を製造する工程の中で基板側アライメントマーク７７ａ、７７ｂを形成することができる。従って、フレキシブル基板７に実装した点状光源３と基板側アライメントマーク７７ａ、７７ｂとの位置精度が高いので、かかる基板側アライメントマーク７７ａ、７７ｂを基準に導光板６に位置合わせすれば、フレキシブル基板７に実装した点状光源３と基板側アライメントマーク７７ａ、７７ｂとを高い精度で位置を合わせることができる。また、基板側アライメントマーク７７ａ、７７ｂを形成するのに新たな工程を追加する必要がないので、基板側アライメントマーク７７ａ、７７ｂを備えたフレキシブル基板７を効率よく製造することができる。
【００３９】
［アライメントマークの変形例］
図４は、本発明を適用した電気光学装置に用いた別の形態の基板側アライメントマークの拡大平面図である。図５は、本発明を適用した電気光学装置に用いたさらに別の形態の基板側アライメントマーク、および導光板アライメントマークの拡大平面図である。
【００４０】
上記実施の形態では、フレキシブル基板７の光源実装部７１の端部に形成した穴７７１ａ、７７１ｂの周りに形成した第１線状パターン７７２ａ、７７２ｂ、および第２線状パターン７７３ａ、７７３ｂによって基板側アライメントマーク７７ａ、７７ｂを形成したが、図４に示すように、フレキシブル基板７の光源実装部７１の端部にＵ字状の凹み部分７７１ｅを設け、かかる凹み部分７７１ｅの縁に、基板側アライメントマーク７７ｂとして、１本の第１線状パターン７７２ｂ、および２本の第２線状パターン７７３ｂを形成してもよい。なお、基板側アライメントマーク７７ａでも同様である。
【００４１】
上記実施の形態では、基板側アライメントマーク７７ａ、７７ｂとして第１線状パターン７７２ａ、７７２ｂ、および第２線状パターン７７３ａ、７７３ｂを形成し、導光板側アライメントマーク６７ａ、６７ｂとして第１線状パターン６７２ａ、６７２ｂ、および第２線状パターン６７３ａ、６７３ｂを形成したが、図５に示すように、フレキシブル基板７において点状光源３の出射光軸Ｌに対して直交する方向に延びた第１線状パターン７７２ｂのみによって、基板側アライメントマーク７７ｂを構成し、導光板６において点状光源３の出射光軸Ｌに対して直交する方向に延びた第１線状パターン６７２ｂのみによって、導光板側アライメントマーク６７ｂを構成してもよい。なお、基板側アライメントマーク７７ａ、および導光板側アライメントマーク６７ａでも同様である。
【００４２】
このように、点状光源３の出射光軸Ｌに対して直交する方向に延びた第１線状パターン６７２ｂ、７７２ｂのみを用いて、導光板６とフレキシブル基板７との位置合わせを行なうと、少なくとも、点状光源３の出射光軸Ｌの方向における位置、およびその傾きを正確に合わせることができる。
【００４３】
［他の実施の形態］
上記実施の形態では、基板側アライメントマーク７７ａ、７７ｂが光源実装端子７５１と同一層の導電パターンからなる例であったが、フレキシブル基板７の他の層に形成された導電パターン（端子７４１や背面側導電パターン７４２）と同一層の導電パターンによって基板側アライメントマーク７７ａ、７７ｂを形成してもよい。
【００４４】
上記実施の形態では、導光板６に形成した切り欠き６７４ａ、６７４ｂの残存部分によって導光板側アライメントマーク６７ａ、６７ｂを構成したが、導光板６に形成した切り欠き自身を線状パターンに形成して導光板側アライメントマーク６７ａ、６７ｂとしてもよい。また、上記実施の形態では、切り欠き６７４ａ、６７４ｂとして貫通して形成したいたが、貫通した切り欠きに限らず、視認できるパターンであれば貫通しない溝でもよい。その場合であっても、光源配置穴６１を形成する工程で同時に形成すれば、導光板６の光入射部６１ａと導光板側アライメントマーク６７ａ、６７ｂとの位置精度が高い。また、導光板側アライメントマーク６７ａ、６７ｂを形成するのに新たな工程を追加する必要がないので、導光板側アライメントマーク６７ａ、６７ｂを備えた導光板６を効率よく製造することができるのは同様である。
【００４５】
上記実施の形態では、基板側アライメントマーク７７ａ、７７ｂについてはフレキシブル基板７に形成されている端子や配線パターンと同時形成された同一層の導電パターンを用いたが、印刷や刻印などによって、基板側アライメントマーク７７ａ、７７ｂを形成してもよい。また、上記実施の形態では、導光板側アライメントマーク６７ａ、６７ｂについては光源配置穴６１と同時形成したが、印刷や刻印などによって、導光板側アライメントマーク６７ａ、６７ｂを形成してもよい。例えば、導光板６に形成されるプリズムパターンなどを形成する工程で同時に形成することができる。
【００４６】
上記実施の形態では、光源実装基板がフレキシブル基板からなる例であったが、光源実装基板がリジッド基板である場合に本発明を適用してもよい。
【００４７】
［電子機器への搭載例］
次に、上述した実施形態に係る電気光学装置１００を適用した電子機器について説明する。図６（ａ）に、電気光学装置１００を備えたモバイル型のパーソナルコンピュータの構成を示す。パーソナルコンピュータ２０００は、表示ユニットとしての電気光学装置１００と本体部２０１０を備える。本体部２０１０には、電源スイッチ２００１及びキーボード２００２が設けられている。図６（ｂ）に、電気光学装置１００を備えた携帯電話機の構成を示す。携帯電話機３０００は、複数の操作ボタン３００１及びスクロールボタン３００２、並びに表示ユニットとしての電気光学装置１００を備える。スクロールボタン３００２を操作することによって、電気光学装置１００に表示される画面がスクロールされる。図６（ｃ）に、電気光学装置１００を適用した情報携帯端末（ＰＤＡ：Personal Digital Assistants）の構成を示す。情報携帯端末４０００は、複数の操作ボタン４００１及び電源スイッチ４００２、並びに表示ユニットとしての電気光学装置１００を備える。電源スイッチ４００２を操作すると、住所録やスケジュール帳といった各種の情報が電気光学装置１００に表示される。
【００４８】
なお、電気光学装置１００が適用される電子機器としては、図６に示すものの他、デジタルスチルカメラ、液晶テレビ、ビューファインダ型、モニタ直視型のビデオテープレコーダ、カーナビゲーション装置、ページャ、電子手帳、電卓、ワードプロセッサ、ワークステーション、テレビ電話、ＰＯＳ端末、銀行端末などの電子機器などが挙げられる。そして、これらの各種電子機器の表示部として、前述した電気光学装置１００が適用可能である。
【図面の簡単な説明】
【００４９】
【図１】本発明を適用した電気光学装置の分解斜視図である。
【図２】（ａ）、（ｂ）は各々、本発明を適用した電気光学装置を点状光源を通る線に沿って切断したときの縦断面図、およびその点状光源付近を拡大して示す拡大断面図である。
【図３】（ａ）、（ｂ）、（ｃ）、（ｄ）は各々、本発明を適用した電気光学装置に用いた導光板の端部の拡大平面図、フレキシブル基板の光源実装部の拡大平面図、導光板の端部にフレキシブル基板を重ねる直前の導光板の端部の様子を示す拡大平面図、および導光板の端部にフレキシブル基板を重ねた後の導光板の端部の様子を示す拡大平面図である。
【図４】は、本発明を適用した電気光学装置に用いた別の形態の基板側アライメントマークの拡大平面図である。
【図５】は、本発明を適用した電気光学装置に用いたさらに別の形態の基板側アライメントマーク、および導光板アライメントマークの拡大平面図である。
【図６】本発明に係る入力機能付き表示装置を用いた電子機器の説明図である。
【符号の説明】
【００５０】
１・・液晶パネル（電気光学パネル）、３・・点状光源、６・・導光板、７・・フレキシブル基板、８・・照明装置、２９・・遮光シート、７７ａ、７７ｂ・・基板側アライメントマーク、６７ａ、６７ｂ・・導光板側アライメントマーク、２９２ａ、２９２ｂ・・開口部（透光窓）、１００・・電気光学装置（液晶装置）
【図１】
2010009813.tif 000003
【図２】
2010009813.tif 000004
【図３】
2010009813.tif 000005
【図４】
2010009813.tif 000006
【図５】
2010009813.tif 000007
【図６】
2010009813.tif 000008